(57)【要約】      （修正有）【課題】端子あるいは収容溝の位置決めが悪いために端子がお互いに接触して短絡することを防止できる電気コネクタ端子を提供する。【解決手段】チップモジュール８０の錫ボール８２に電気的に接続される接触部５０と、回路基板に電気的に接続される端部５６と、端部と接触部を連結したベース部５４とを備え、接触部はほぼＹ形に形成され、絶縁本体７０の受け入れ溝７２から突出して錫ボールと弾性的に接続している。接触部とベース部の間に捩れ部５２が設けられ、捩れ部は水平方向に沿って所定の角度だけ捩れていて、錫ボールが接触部と接続した後にも、下に押し付けるスペースを有している。接触部は受け入れ溝が絶縁本体を貫通する方向を軸線にして４５°捩れていて、接触部とベース部の間は４５°となっており、接触部を電気コネクタの絶縁本体の受け入れ溝の対角線の方向に沿わせ、これによって、錫ボールを下に押し付ける十分なスペースが確保できる。【選択図】図６
0003105879.tif 000002
【実用新案登録請求の範囲】
【請求項１】
絶縁本体の収容溝の中に装着され、チップモジュールを回路基板に電気的に接続することに使われる電気コネクタ端子であって、
回路基板に電気的に接続される端部と、
チップモジュールに電気的に接続される接触部と、
前記端部と前記接触部を連結したベース部と、
を備え、且つ、前記接触部は収容溝が絶縁本体を貫通した方向を軸線として３０°〜６０°捩れていることを特徴とする電気コネクタ端子。
【請求項２】
前記接触部は絶縁本体から突出していることを特徴とする請求項１に記載の電気コネクタ端子。
【請求項３】
前記接触部と前記ベース部の間に捩れ部を設けていることを特徴とする請求項１に記載の電気コネクタ端子。
【請求項４】
前記接触部は、チップモジュールに設けられている錫ボールと電気的に接続されることを特徴とする請求項１に記載の電気コネクタ端子。
【請求項５】
前記接触部の捩れ角度は４５°であることを特徴とする請求項１に記載の電気コネクタ端子。
【請求項６】
前記接触部に凹溝が設けられていることを特徴とする請求項１に記載の電気コネクタ端子。
【請求項７】
前記接触部に、相反方向に向けて分かれた分かれ部が設けられていることを特徴とする請求項１に記載の電気コネクタ端子。
【請求項８】
前記接触部に第１分かれ部と第２分かれ部が設けられていることを特徴とする請求項７に記載の電気コネクタ端子。
【請求項９】
前記ベース部は曲がり状をしていることを特徴とする請求項８に記載の電気コネクタ端子。
【請求項１０】
複数の収容溝が設けられた絶縁本体と、
該絶縁本体の前記収容溝中に収容され、錫ボールの設けられているチップモジュールを回路基板に電気的に接続することに使われ、回路基板に電気的に接続される端部と、チップモジュールの錫ボールに電気的に接続される接触部と、前記端部と前記接触部を連結したベース部と、を含む複数の端子と、
を備え、前記接触部に相反方向に向けて分かれる分かれ部が設けられ、また、下方に向けてベース部と連結した捩れ部が設けられ、該捩れ部により、前記接触部は収容溝が絶縁本体を貫通した方向を軸線として３０°〜６０°捩れていることを特徴とする電気コネクタ。
【請求項１１】
前記接触部は絶縁本体から突き出ていることを特徴とする請求項１０に記載の電気コネクタ。
【請求項１２】
前記接触部の捩れ角度は４５°であるのが好ましいことを特徴とする請求項１１に記載の電気コネクタ。
【請求項１３】
前記絶縁本体の収容溝が正方形をしていて、前記捩れ部が捩れた後、前記接触部を前記収容溝の対角線の方向にほぼ沿わせていることを特徴とする請求項１２に記載の電気コネクタ。
【請求項１４】
前記接触部に第１分かれ部と第２分かれ部が設けられていることを特徴とする請求項１３に記載の電気コネクタ。
【考案の詳細な説明】
【技術分野】
【０００１】
本考案は電気コネクタ端子に関し、特に、チップモジュールを回路基板に電気的に接続することに使われる電気コネクタ端子に関する。
【背景技術】
【０００２】
図１と図２を参照すれば、チップモジュール１２を搭載させ、且つ、チップモジュール１２の錫ボール１２０と接続する電気コネクタ（符号なし）であって、該電気コネクタに絶縁本体１３と、該絶縁本体１３に収容された複数の端子１０と、を備え、前記絶縁本体１３は不動部１４と可動部１６を含み、前記端子１０に錫ボールと接続する接触部１００と、回路基板（図示せず）に差し込まれる端部１０４と、該接触部１００と該端部１０４とを連接していたベース部１０２と、を含む。電気コネクタの駆動機構（図示せず）が絶縁本体１３の可動部１６を不動部１４に対して水平に移動させると共に、端子１０のベース部１０２も移動されるので、端子を上下に伸縮させ、これによって、端子１０と錫ボール１２０の間の接続及び分離の目的が実現される。しかしながら、前記端子１０の接触部１００が絶縁本体１３から突出することはなく、錫ボール１２０が絶縁本体１３の内部に入り込んで一定のスペースを占めるので、隣り合う両端子の距離が大きくなる。コンピュータの速度が高くなるにつれて、チップモジュールの速度も高くする必要があって、隣り合う両端子の距離も減少させる必要があるので、前記コネクタは高速度の要求に適応できない。
【０００３】
図３と図４を参照すれば、チップモジュール２２を搭載させ、且つ、チップモジュール２２の錫ボール２４と接続する電気コネクタ（符号なし）であって、該電気コネクタに、絶縁本体２０と、該絶縁本体２０の端子溝２７に収容された複数の端子２０と、を備え、前記端子２０に、錫ボール２４に電気的に接続される接触部２００と、回路基板に差し込まれる端部２０４と、前記接触部２００と前記端部２０４を連結した曲がりベース部２０２と、を備える。端子２０は、ベース部２０２の弾性力により絶縁本体２５の中に固着され、端子２０の接触部２００が絶縁本体２５から突出し、チップモジュール２２が下に向けて押し付けられる時、端子２０が弾性変形し、該弾性力により、接触部２００を錫ボール２４に接触させ、こうして、隣り合う両端子２０の距離が減少され、電気コネクタの伝送速度が高められる。しかし、端子溝２７あるいは端子２０の定位が悪いために傾斜が発生する時、図４のような様子が出現し、一部の端子溝２９に傾斜が発生する時、端子溝２９に収容した端子２０も傾斜し、接触部２００と隣の端子２７の接触部２００がお互いに接触し、短絡する。また、端子２９の接触部の下に押し付ける距離が制限されるので、高密度の電気コネクタにおいて、隣り合う両端子が容易に接触し、短絡する。そこで、以上の欠点を克服できる新型の電気コネクタを提供する必要がある。
【考案の開示】
【考案が解決しようとする課題】
【０００４】
本考案は、端子あるいは収容溝の位置決めが悪いために端子がお互いに接触して短絡することを防止できる電気コネクタ端子を提供することを目的とする。
【０００５】
本考案は、チップモジュールの下に向けて押し付ける十分なスペースが確保できる電気コネクタ端子を提供することをもう一つの目的とする。
【０００６】
本考案は、チップモジュールの錫ボールと弾性的に接続し、且つ、隣の端子が下に押される時、お互いに接触して短絡することを防止できる電気コネクタ端子を提供することをもう一つの目的とする。
【課題を解決するための手段】
【０００７】
本考案の電気コネクタ端子はチップモジュールを回路基板に電気的に接続することに使われ、電気コネクタの絶縁本体の受け入れ溝に受け入れられ、チップモジュールの錫ボールあるいは導電片に電気的に接続される接触部と、回路基板に電気的に接続される端部と、該端部と該接触部を連結したベース部と、を備え、前記接触部は、錫ボールを収容するためにほぼＹ形あるいはフォーク形に形成され、且つ、絶縁本体の受け入れ溝から突出して錫ボールと弾性的に接続している。前記接触部とベース部の間に捩れ部が設けられ、該捩れ部が水平方向に沿って所定の角度だけ捩れていて、錫ボールが接触部と接続した後にも、下に押し付けるスペースを有している。接触部は、受け入れ溝が絶縁本体を貫通した方向を軸線にして４５°捩れていて、接触部とベース部の間は４５°となっており、接触部を電気コネクタの絶縁本体の受け入れ溝の対角線の方向に沿わせ、これによって、錫ボールを下に押し付ける十分なスペースが確保でき、隣の端子の接触部がお互いに接触して短絡することも防止できるので、電気伝送の性能も影響を受けない。
【考案の効果】
【０００８】
従来の技術と比較して、本考案の電気コネクタは以下の効果を有する。接触部がフォーク形をしている端子は、線あるいは面で錫ボールと接続しているので、接続する面積が増加する。端子の接触部は４５°捩れているので、錫ボールを下に押し付ける十分なスペースが確保でき、隣り合う端子の接触部がお互いに接触して短絡することも防止でき、また、端子あるいは受け入れ溝の定位が悪いために接触部がお互いに接触して短絡することも防止できる。
【考案を実施するための最良の形態】
【０００９】
図５〜図７を参照すれば、本考案の電気コネクタ端子５は前記絶縁本体７０の受け入れ溝７２に受け入れられ、チップモジュール８０を回路基盤（図示せず）に電気的に接続することに使われる。該端子５は、チップモジュール８０の錫ボール８２に電気的に接続される接触部５０と、回路基板に差し込まれる端部５６と、前記前記接触部５０と端部５６を連結したベース部５４と、を備え、ベース部５４の弾性力により、端子５が前記絶縁本体７０の四方形の受け入れ溝７２に固着され、端子５の接触部５０に凹溝５０２が設けられ、端子５をほぼＹ形に形成させ、接触部５０とベース部５４の間にほぼ三角形の捩れ部５２が形成され、該捩れ部５２及び接触部５０の少なくとも一部が絶縁本体７０の受け入れ溝７２から突起し、且つ、接触部５０は、受け入れ溝７２が絶縁本体７０を貫通した方向を軸線にして４５°捩れているとともに、捩れ部５２も捩れていて、接触部５０を絶縁本体７０の受け入れ溝７２の対角線の方向にほぼ沿わせ、隣り合う端子５の接触部５０の間の距離も対角線の方向に沿わせている。これによって、隣の端子との距離が大きくなるので、端子５の配置が同じ密度である場合、隣り合う両端子５の接触部５０がお互いに接触するおそれがなくなり、短絡が防止できる。また、端子５は、接触部が捩れていない場合に比べて、もっと大きい下に向けて押し付ける十分なスペースを有しているので、受け入れ溝７２あるいは端子５の定位が悪く、一定の傾きが発生しても、端子５の前記絶縁本体７０から突起した接触部５０が、お互いに接触するおそれがなくなる。また、下に向けて押し付ける距離が同じである場合、同じ面積により多くの端子５を配置することができるので、コネクタの伝送速度が高められる。
【００１０】
本考案の電気コネクタの端子５の絶縁本体７０から突起する接触部５０の捩れ角度は４５°であるのが好ましい。これ以外の角度に捩れば、捩らない場合に比べて、より大きい下に向けて押し付けるスペースを有することもでき、且つ、同じ面積により多くの端子５を配置することもできる。しかしながら、前記端子５の接触部５０がベース５４に対して３０°〜６０°捩れていると効果的である。また、３０°と６０°の捩れの効果は同じである。
【００１１】
本考案の端子５の接触部５０と捩れ部５２の形状が変化しても前記接触部５０が４５°に捩れた後、前記の同じ効果に達することに影響しない。端子５はベース部５４から短小突起を伸ばす方式などで絶縁本体７０に固着される。そこで、端子５の両端を押し付けることによって錫ボールと接触する時、もう一端の接触部５０がベース部に対して、水平方向に沿って４５°捩れた後、本考案の目的を達成する。
【００１２】
図８は、本考案の電気コネクタ端子のもう一つの実施例であって、第１実施例と大体同じで、端子６は、チップモジュール（図示せず）に電気的に接続される接触部６０と、回路基板に差し込まれる端部６６と、前記前記接触部６０と端部６６を連結したベース部６４と、を備え、接触部６０とベース部６４の間にも捩れ部６２が設けられ、接触部６０は受け入れ溝７２が絶縁本体７０（図６参照）を貫通した方向を軸線として４５°捩れている。しかし、異なる所は以下の通りである。接触部６０に相反な方向に向けて第１分かれ部６０２と第２分かれ部６０４が設けられ、これによって、錫ボールと端子６の間の接続は立体的な接続になり、接続面積及び端子とチップモジュールの間の挟み力を増大させ、よりよい電気的伝送を達成する。
【００１３】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００１４】
本考案は電気コネクタ端子に関し、特に、チップモジュールを回路基板に電気的に接続することに使われる電気コネクタ端子に関する。
【図面の簡単な説明】
【００１５】
【図１】本考案と相関する電気コネクタの断面図である。
【図２】本考案と相関する電気コネクタのもう一つの方向の断面図である。
【図３】本考案と相関するもう一つの電気コネクタとモジュールを接続した時の断面図である。
【図４】図３の電気コネクタの一部の端子の定位が悪い時の平面図である。
【図５】本考案の電気コネクタ端子の斜視図である。
【図６】本考案の電気コネクタ端子がチップモジュールと接続した時の断面図である。
【図７】本考案の電気コネクタ端子がチップモジュールと接続していない時の平面図である。
【図８】本考案の電気コネクタ端子のもう一つの実施例の斜視図である。
【符号の説明】
【００１６】
５、６  端子
５０、６０  接触部
５２、６２  捩れ部
５４、６４  ベース部
５６、６６  端部
７０  絶縁本体
７２  受け入れ溝
８０  チップモジュール
８２  錫ボール
５０２  凹溝
６０２  第１分かれ部
６０４  第２分かれ部
【図１】
0003105879.tif 000003
【図２】
0003105879.tif 000004
【図３】
0003105879.tif 000005
【図４】
0003105879.tif 000006
【図５】
0003105879.tif 000007
【図６】
0003105879.tif 000008
【図７】
0003105879.tif 000009
【図８】
0003105879.tif 000010